(57)【要約】  本発明は、薄板パネル（Ｐ）を下方より支持する支持部（４０）と、薄板パネル（Ｐ）の重さを上下方向に伝達する荷重伝達部（２０）と、薄板パネル（Ｐ）の水平方向の位置決めをする位置決め部（２２）とを備え、薄板パネル（Ｐ）の段積みに用いるモジュールに関する。薄板パネル（Ｐ）が搬送中の振動によってばたついて破損するのを防止するため、支持部（４０）は、薄板パネル（Ｐ）を載置する支持面（４２）を有し、荷重伝達部（２０）は、上位モジュールを受ける上部（２６）と、下位モジュールの上部（２６）に荷重を伝達する底部（２８）とを有し、下位モジュールにより支持された薄板パネル（Ｐ）の上面に対向して当り可能な下方突出部（４４）が設けられ、下方突出部（４４）の下端は、底部（２８）より下方に位置する。
2013121461.tif 000002
【特許請求の範囲】
【請求項１】
薄板パネルを下方より支持する支持部と、該支持部に連結され、薄板パネルの重さを上下方向に伝達する荷重伝達部と、上下に段積みされた薄板パネルの水平方向の位置決めをする位置決め部とを有する、薄板パネルの段積みに用いるモジュールであって、  前記支持部は、薄板パネルを載置する支持面を有し、  前記荷重伝達部は、前記支持面の外方に形成され、モジュールが積み上げられるときに上位モジュールを受ける上部と、モジュールが積み上げられるときに下位モジュールの当該上部に荷重を伝達する底部とを有し、  下位モジュールにより支持された薄板パネルの上面に対向して当り可能な下方突出部が設けられ、前記下方突出部の下端は、該底部より下方に位置する、  ことを特徴とする薄板パネルの段積みに用いるモジュール。
【請求項２】
前記モジュールは、矩形薄板パネルの四隅それぞれに配置され、前記支持面は、Ｌ字形を有し、前記位置決め部は、前記支持面の外縁から上方に延在する立壁面を有する、請求項１に記載の薄板パネルの段積みに用いるモジュール。
【請求項３】
前記下方突出部のサイズは、前記支持面上に前記薄板パネルを載置したとき、上位に載置されるモジュールの下方突出部の下端が、前記薄板パネルの上面に当接する寸法になっている、請求項１ないし２のいずれか一項に記載の薄板パネルの段積みに用いるモジュール。
【請求項４】
前記荷重伝達部の垂直方向の剛性は、前記下方突出部の垂直方向の剛性に比べて、剛くなっている、請求項１ないし３のいずれか一項に記載の薄板パネルの段積みに用いるモジュール。
【請求項５】
前記荷重伝達部及び前記下方突出部は、中空に形成されている、請求項１ないし３のいずれか一項に記載の薄板パネルの段積みに用いるモジュール。
【請求項６】
前記荷重伝達部及び前記下方突出部における前記中空に形成された中空空間内に、複数のリブが形成されている、請求項５に記載の薄板パネルの段積みに用いるモジュール。
【請求項７】
前記荷重伝達部における前記中空空間内に形成された前記リブの肉厚は、前記下方突出部における前記中空空間内に形成された前記リブの肉厚に比べて、厚くなっている、請求項６に記載の薄板パネルの段積みに用いるモジュール。
【請求項８】
前記荷重伝達部における前記中空空間内に形成された前記リブの設置数は、前記下方突出部における前記中空空間内に形成された前記リブの設置数に比べて、多くなっている、請求項６に記載の薄板パネルの段積みに用いるモジュール。
【請求項９】
前記荷重伝達部における前記中空空間内に形成された前記リブの間隔は、前記下方突出部における前記中空空間内に形成された前記リブの間隔に比べて、密になっている、請求項６に記載の薄板パネルの段積みに用いるモジュール。
【請求項１０】
前記中空に形成された荷重伝達部における外側面を構成する壁面の肉厚は、前記荷重伝達部における前記中空空間内に形成された前記リブの肉厚に比べて、厚くなっている、請求項６に記載の薄板パネルの段積みに用いるモジュール。
【請求項１１】
前記下方突出部の底部は、開口している、請求項５ないし１０のいずれか一項に記載の薄板パネルの段積みに用いるモジュール。
【請求項１２】
前記下方突出部における前記中空空間内に形成された前記リブの下端は、該下方突出部における下端面に一致するように延設されている、請求項６ないし１１のいずれか一項に記載の薄板パネルの段積みに用いるモジュール。
【請求項１３】
前記荷重伝達部及び前記下方突出部は、中実に形成されている、請求項１ないし４のいずれか一項に記載の薄板パネルの段積みに用いるモジュール。
【請求項１４】
前記荷重伝達部と前記下方突出部とが異なる材料から構成され、前記荷重伝達部を構成する材料の剛性に比べて、前記下方突出部を構成する材料の剛性が、低くなっている、請求項１３に記載の薄板パネルの段積みに用いるモジュール。
【請求項１５】
前記荷重伝達部及び前記下方突出部のうち、一方は中空に形成され、他方は中実に形成されている、請求項１ないし４のいずれか一項に記載の薄板パネルの段積みに用いるモジュール。
【請求項１６】
前記薄板パネルは、太陽光パネルである、請求項１ないし１５のいずれか一項に記載の薄板パネルの段積みに用いるモジュール。
【請求項１７】
前記モジュールは、樹脂製であり、一体成形されている、請求項１ないし請求項１６のいずれか一項に記載の薄板パネルの段積みに用いるモジュール。
【請求項１８】
薄板パネルを下方より支持する支持部と、該支持部に連結され、薄板パネルの重さを上下方向に伝達する荷重伝達部と、上下に段積みされた薄板パネルの水平方向の位置決めをする位置決め部とを有する、薄板パネルの段積みに用いるモジュールであって、  複数のモジュールが段積みされるとき、モジュール及び前記薄板パネルの重量を支持する本体部であって、前記支持部の外方に形成され、モジュールが積み上げられるときに上位モジュールを受ける上部と、モジュールが積み上げられるときに下位モジュールの当該上部に荷重を伝達する底部と、を有してなる上記本体部を有し、  前記薄板パネルはその下面が支持部の上面に形成された支持面と当接されるとともに、その上面が積み上げられた上位モジュールの下端面と当接される、  ことを特徴とする薄板パネルの段積みに用いるモジュール。
【発明の詳細な説明】
【技術分野】
【０００１】  本発明は、薄板パネルの段積みに用いるモジュールに関し、より詳しくは、複数の太陽光パネル等の薄板パネルを上下方向に段積みして支持し、保管や運搬等を行うために使用されるモジュールに関する。
【背景技術】
【０００２】  太陽光パネルは、セルを直列接続し、樹脂や強化ガラスで保護した薄板状をなし、より具体的には、ガラス層とプラスチック層、あるいはガラス層とガラス層との間にシリコンからなるセルが埋め込まれた積層構造であり、厚みが数ミリ、面積が数平方メートル、重量が１０ないし３０Kgに及ぶことから、精密で壊れ易い構造体である。【０００３】  このような太陽光パネルは、製造工場から、比較的遠隔地の設置場所である、ビルや住宅の屋上や屋根へ、トラック等の車両によって搬送されるため、搬送中には様々な振動や衝撃を受ける。【０００４】  従来、太陽光パネルのような、寸法が比較的大きくて、且つ壊れ易い薄板パネルを段積みして搬送するに際しては、主に２種類の手段が知られている。【０００５】  第１のタイプにおいては、特許文献１に開示されているように、薄板パネルにおける最も壊れ易い部分である四辺に、プラスチックや軽金属などから形成されたフレームを嵌着させて薄板パネルの周囲を破損に対して保護した後、これを薄板パネルの四隅に位置するモジュール（コーナー材とも称される）の上に載置するもので、四辺が保護された薄板パネルとモジュールとを交互に載置していくことで、薄板パネルの積層体を構成する。【０００６】  しかし、この手段では、搬送する薄板パネルの四辺の数に対応する数の多数のフレームが必要になり、薄板パネルの搬送効率を低下させていた。【０００７】  そこで、第２のタイプの搬送手段として、特許文献２に開示されているように、コストのかかるフレームを使用せず、薄板パネルの四隅に配されるモジュールに、薄板パネルの厚みと同じ寸法をもった溝部を形成し、溝部の中に薄板パネルの角部を挟み込むことで、薄板パネルの搬送中の振動や上下のばたつきを抑制し、もって破損を防ぐようにしたものが知られている。【０００８】  しかしながら、薄板パネル、とりわけ、太陽光パネルは、前述したように、ガラス等の脆性材料から構成されているので、特に四隅の角部が破損しやすく、かかる部分を、薄板パネルの厚みと同じ寸法をもった溝部に挿入するのは、煩雑な作業であった。さらに、太陽光パネルの梱包ラインにおいて、パレットの上に太陽光パネルを段積みする際に、前記特許文献２のような挟み込みタイプのモジュールでは太陽光パネル段積みする前にその四隅にモジュールを配置させる必要がある。具体的には、太陽光パネルの角部をモジュールで挟み込んだ状態で、下段に配置されている四隅のモジュールに対して段積みする太陽光パネルに配置させたモジュールを位置合わせさせながら積み上げていく必要がある。このため、下段に配置されている四隅のモジュールに対してまずモジュールのみを配置させた後に、太陽光パネルを所定の位置に配置された四隅のモジュールに沿って載置させるという工程で梱包作業を行うことができないものとなり、太陽光パネルの梱包ラインが制約されることとなる。【特許文献１】特開２００６−３２９７８号
【特許文献２】欧州特許ＥＰ２３２０１５７Ａ２
【発明の概要】
【発明が解決しようとする課題】
【０００９】  そこで、上記技術的問題点に鑑み、本発明の目的は、外周にフレーム等の保護部材を有しない薄板パネル、特に太陽光パネルに適用され、これを段積みして支持するために、該薄板パネルの四隅又はその他の縁部に配置されるモジュールであって、モジュールと薄板パネルとを交互にただ積み上げていくだけで、簡単に、搬送のための積層体を構築できると共に、搬送中の振動や衝撃に起因して薄板パネルがばたついたり破損したりするのを効果的に防止でき、搬送作業に要する手数を大幅に削減できる、薄板パネルの段積みに用いるモジュールを提供することにある。
【課題を解決するための手段】
【００１０】  上記課題を解決するために、本発明に係る薄板パネルの段積みに用いるモジュールは、  薄板パネルを下方より支持する支持部と、該支持部に連結され、薄板パネルの重さを上下方向に伝達する荷重伝達部と、上下に段積みされた薄板パネルの水平方向の位置決めをする位置決め部とを有する、薄板パネルの段積みに用いるモジュールであって、  支持部は、薄板パネルを載置する支持面を有し、  荷重伝達部は、支持面の外方に形成され、モジュールが積み上げられるときに上位モジュールを受ける上部と、モジュールが積み上げられるときに下位モジュールの当該上部に荷重を伝達する底部とを有し、  下位モジュールにより支持された薄板パネルの上面に対向して当り可能な下方突出部が設けられ、前記下方突出部の下端は、該底部より下方に位置する、  構成としている。【００１１】  以上の構成を有する薄板パネルの段積みに用いるモジュールによれば、積み上げられたモジュール及び薄板パネルの重量を支持する荷重伝達部と、薄板パネルを支持するための支持部とから、モジュールが構成されるので、両者に対して、それぞれの目的に適した特性を与えることができる。もっとも、後述するように、両者は物理的に分離可能である必要は無く、その果たす機能から観念的に分離されるものであることから、例えば、プラスチック樹脂の射出成形などによってモジュール全体を一体的に形成することを妨げるものではない。【００１２】  モジュールは、矩形薄板パネルの四隅それぞれに配置され、前記支持面は、Ｌ字形を有し、前記位置決め部は、前記支持面の外縁から上方に延在する立壁面を有するのでもよい。これにより、矩形薄板パネルの四隅それぞれにおいて、立壁面に当接するように矩形薄板パネルを支持面に載置することにより、矩形薄板パネルの外方への移動を抑制して、位置決めすることが可能である。そして、下方突出部のサイズは、支持面上に薄板パネルを載置したとき、上位に載置されるモジュールの下方突出部の下端が、薄板パネルの上面に当たり可能な寸法にすると良い。この当たり可能とは、段積みした薄板パネルの搬送時に、薄板パネルが上下にばたつくのを抑制することにより割れを防止するために、振動による薄板パネルの上下の振幅を規制できればよく、薄板パネルが振動しないときは下方突出部と薄板パネルの上面との間に多少の隙間を許容する意味である。【００１３】  以上の構成を有する薄板パネルの段積みに用いるモジュールによれば、薄板パネルの積層体を形成すべく、モジュールの支持面上に薄板パネルを載置し、その上に、上位のモジュールを載置すると、該モジュールの下方突出部の下端と、前記支持面との間に薄板パネルが挟み込まれ、上記第２のタイプの従来技術と実質的に同等の効果が得られる。すなわち、薄板パネルの被支持部分（例えば、四隅の角部）を挟み込むことで、薄板パネルの搬送中の振動や上下のばたつきを抑制し、もって破損を防ぐことができる。【００１４】  ここで、上述の如く（必ずしも物理的には分離されないものの）観念的に分離された荷重伝達部と下方突出部とにおいては、荷重伝達部の垂直方向の剛性が、下方突出部の垂直方向の剛性に比べて、剛くなっている、構成にするのが良い。【００１５】  以上の��成を有する薄板パネルの段積みに用いるモジュールによれば、積層体の重量を支え、いわば積層体の構造的支柱となる荷重伝達部には、かかる重量を充分に支持し得る剛性を与える一方、薄板パネルの上面を押さえる目的をもった、上位モジュールの下方突出部については、その剛性を低く抑え（柔らかくして）、上位の積層体全体の重量が、該下方突出部を介して薄板パネルの上面に加わることを防止する。【００１６】  そのために、本発明に係る薄板パネルの段積みに用いるモジュールにおいては、荷重伝達部と下方突出部とを共に、中空構造に形成するのが良い。  それにより、荷重伝達部及び下方突出部における前記中空に形成された中空空間内に、複数のリブを形成することが可能になる。【００１７】  そうすれば、荷重伝達部における中空空間内に形成されたリブの肉厚を、下方突出部における中空空間内に形成されたリブの肉厚に比べて、厚くしたり、及び／又は、荷重伝達部における中空空間内に形成されたリブの設置数を、下方突出部における中空空間内に形成されたリブの設置数に比べて、多くしたり、及び／又は、荷重伝達部における中空空間内に形成されたリブの間隔を、下方突出部における中空空間内に形成されたリブの間隔に比べて、密にしたりする、構成を採用することができる。【００１８】  以上の構成を有する薄板パネルの段積みに用いるモジュールによれば、リブの肉厚、設置数、又は間隔などを適切に設計することで、容易に、荷重伝達部の垂直方向の剛性を、下方突出部の垂直方向の剛性に比べて、適した剛さにすることが可能になる。【００１９】  また、荷重伝達部の垂直方向の剛性を、下方突出部の垂直方向の剛性に比べて、剛くするためには、中空に形成された荷重伝達部における外側面を構成する壁面の肉厚は、荷重伝達部における中空空間内に形成されたリブの肉厚に比べて、厚くなっている、構成とするのが良い。【００２０】  さらに、荷重伝達部及び下方突出部を、中空に形成した場合には、下方突出部の底部は、開口している、構成とするのが良い。【００２１】  下方突出部の底を塞いで底面を形成した場合には、かかる底面にゴミや塵などが付着して、底面（すなわち、下方突出部の下端）が、これに当接する下方の薄板パネルの表面に傷を付ける恐れが高くなるが、底面を開口させることで、ゴミや塵の付着の底部への付着を防ぐことができる。【００２２】  この場合、下方突出部における中空空間内に形成されたリブの下端は、該下方突出部における底部の端面に一致するように延設させる構成とするのが良い。【００２３】  それにより、下方突出部の下端は、下方突出部の周縁のみならず、下方突出部内のリブにも接触し、下方突出部が薄板パネルを上から押さえる力をより均一に分布させることができる。【００２４】  なお、本発明は、上述した構成に限られるものではなく、例えば、荷重伝達部及び下方突出部は、中実に形成されている、構成とすることもできる。【００２５】  この場合には、荷重伝達部と下方突出部とを異なる材料から構成して、荷重伝達部を構成する材料の剛性に比べて、下方突出部を構成する材料の剛性を、低く設定するのが良い。【００２６】  さらに、荷重伝達部及び下方突出部のうち、一方は中空に形成され、他��は中実に形成されている、構成にすることも可能である。【００２７】  上記課題を解決するために、本発明に係る薄板パネルの段積みに用いるモジュールは、    薄板パネルを下方より支持する支持部と、該支持部に連結され、薄板パネルの重さを上下方向に伝達する荷重伝達部と、上下に段積みされた薄板パネルの水平方向の位置決めをする位置決め部とを有する、薄板パネルの段積みに用いるモジュールであって、  複数のモジュールが段積みされるとき、モジュール及び前記薄板パネルの重量を支持する本体部であって、前記支持部の外方に形成され、モジュールが積み上げられるときに上位モジュールを受ける上部と、モジュールが積み上げられるときに下位モジュールの当該上部に荷重を伝達する底部と、を有してなる上記本体部を有し、  前記薄板パネルはその下面が支持部の上面に形成された支持面と当接されるとともに、その上面が積み上げられた上位モジュールの下端面と当接される、、構成としている。
【発明を実施するための最良の形態】
【００２８】  以下、本発明に係るモジュール１０の第１実施形態について、段積みされる薄板パネルとして太陽光パネルＰを用いる場合を例に、添付図面を参照しながら詳細に説明する。図１は、本発明の第１実施形態に係るモジュールの使用状態を示した模式図であり、図２は、図１の使用状態におけるモジュールと太陽光パネルＰとを示した斜視図である。また、図３（ａ）乃至図３（ｆ）は、本発明の第１実施形態によるモジュールを示した、（ａ）上面図、（ｂ）底面図、（ｃ）外側側面図、（ｄ）内側側面図、（ｅ）線ｅ−ｅに沿った断面図、（ｆ）線ｆ−ｆに沿った断面図である。【００２９】  太陽光パネルＰは、矩形状であり、周縁にプラスチックや軽金属などから形成されたフレームを嵌着させずに、四隅それぞれにおいてモジュール１０により直接支持するようにしている。図１乃至図３に示すように、モジュール１０は、複数の太陽光パネルＰを段積みして支持するために、これらの太陽光パネルＰ同士の間に介在されるものであって、モジュール１０と太陽光パネルＰとの合計重量を支持することを主たる役割とする荷重伝達部２０と、太陽光パネルＰの四隅の角部を支持するための支持部４０とから概略構成されている。【００３０】  荷重伝達部２０は、太陽光パネルＰの被支持部分である四隅の角部と相補的な形状であるＬ字形に形成されてなる位置決め部２２と、位置決め部２２から太陽光パネルＰとは反対方向に距離を隔てている外側面２４と、モジュール１０が積み上げられるときに上位モジュールを受ける上部２６と、モジュール１０が積み上げられるときに下位モジュールの上部２６に荷重を伝達する底部２８と、を有している。一方、支持部４０は、１枚の太陽光パネルＰを支持すべく、荷重伝達部２０の位置決め部２２から水平に延在された支持面４２と、支持面４２の下側に底部２８より下方に突設する下方突出部４４と、を有している。【００３１】  より詳細には、位置決め部２２は、モジュール１０は、太陽光パネルＰの四隅それぞれに配置され、支持面４２は、Ｌ字形を有し、位置決め部２２は、支持面４２の外縁から上方に上部２６まで延在する立壁面２３を有する。これにより、太陽光パネルＰの四隅それぞれにおいて、立壁面２３に当接するように太陽光パネルＰを支持面４２に載置することにより、太陽光パネルＰの外方への移動を抑制して、位置決めすることが可能である。また、図２に示すように、上部２６は、Ｌ字形の荷重受け面を構成し、一方底部２８は、Ｌ字形の荷重解放面を構成しており、下方突出部４４は、底部２８から下方突出部の下端である当たり部４５（後に説明）まで延在する外側面２７を有する。これにより、太陽光パネルＰの四隅それぞれにおいて、モジュール１０を積み上げる際、図１に示すように、上下方向に隣接するモジュール１０において、上位のモジュール１０の外側面２７が、下位のモジュール１０の立壁面２３に当接するように、上位のモジュール１０の荷重解放面を下位のモジュール１０の荷重受け面に載置することにより、上位のモジュール１０の下位のモジュール１０に対する外方への相対移動が抑制され、以てモジュール１０を介して段積する太陽光パネルＰの水平方向への位置決めを行うことが可能である。【���０３２】当たり部４５について説明すれば、下方突出部４４の下面が構成し、下面は支持面４２と平行に形成され、モジュール１０を積み上げる際、図１に示すように、上下方向に隣接するモジュール１０において、上述のように、上位のモジュール１０を下位のモジュール１０に載置することにより、上位のモジュール１０の当たり部４５は、下位のモジュール１０により支持された太陽光パネルＰの上面に対向して当接するよう設けられる。これにより、太陽光パネルＰの四隅は、太陽光パネルＰを支持しているモジュール１０の支持面４２と、この上位にあるモジュール１０の当たり部４５との間にしっかりと挟持されているので、太陽光パネルＰがばたついたり、がたついたりすることはない。【００３３】当たり部４５の大きさ、すなわち下方突出部４４の下面の広さは、このような太陽光パネルＰの搬送中におけるばたつき、がたつきを有効に防止する観点から定めればよく、図１ないし図３に示すように、必ずしも支持面４２と同じ広さである必要はない。【００３４】荷重伝達部２０と支持部４０とは、あたかも独立した別の部材であるかの如く説明されているが、一般的には、プラスチックの射出成形等によって一体的に成形された単一の部材から構成されるものである（図３（ｅ）参照）。この点、モジュールの樹脂材料は、熱可塑性樹脂であり、ポリエチレン、ポリプロピレン等のオレフィン系樹脂、または非晶性樹脂などで、より具体的にはエチレン、プロピレン、ブテン、イソプレンペンテン、メチルペンテン等のオレフィン類の単独重合体あるいは共重合体であるポリオレフィン（例えば、ポリプロピレン、高密度ポリエチレン）であり、モジュール１０の構造が比較的複雑であることから、特に射出成形による一体成形に適している。【００３５】  本実施形態においては、荷重伝達部２０と、支持部４０における下方突出部４４とは、いずれも中空構造になっている。すなわち、図３（ｂ）に最良に示されるように、荷重伝達部２０にあっては、外側面２４と位置決め部２２との間に、Ｌ字形の一辺につき４枚、Ｌ字形の全体で８枚のリブ３０が延設され、リブ３０と隣接するリブ３０との間は中空空間３２として開放されている。同様に、支持部４０における下方突出部４４にあっては、合計５枚のリブ４６が延設され、リブ４６と隣接するリブ４６との間は中空空間４８として開放されている。リブ３０とリブ４６との設置枚数の違いから、中空空間３２に比べて、中空空間４８の方が広くなっている。さらに、リブ３０の肉厚は、２．５mmであり、リブ４６の肉厚は、２．０mmであり、荷重伝達部２０に設けたリブ３０の方が、下方突出部４４に設けたリブ４６に比べて、分厚くなっている。これらのリブ３０，４６は、図３（ｆ）の断面図に示されるように、荷重伝達部２０のリブ３０にあっては、上部２６から底部２８の端面にまで垂直に、下方突出部４４のリブ４６にあっては、支持面４２からその下端の端面にまで垂直に、いずれも連続的に設けられ、荷重伝達部２０及び下方突出部４４のそれぞれにおいて、上下方向の荷重に対する支持部材になっている。この結果、荷重伝達部２０の垂直方向の剛性は、下方突出部４４の垂直方向の剛性に比べて、剛くなっている。【００３６】  以上のように構成された、本実施形態によるモジュールを用いて太陽光パネルＰをトラック等で搬送するに際しては、まず、パレット５４の四隅にそれぞれ１つずつ、合計４個のモジュール１０を太陽光パネルＰの角部に一致させるように設置し、その上方に太陽光パネルＰを移動させ、各モジュール１０の支持部４０の支持面４２上にて太陽光パネルＰを降ろし、太陽光パネルＰの角部が、モジュール１０の位置決め部２２に当接するように載置する。これにより、１枚目の太陽光パネルＰの積載が完了したことになる。【００３７】  次に、先ほどパレット５４上に設置した４個のモジュール１０のそれぞれの上部２６に、新たに用意した４個のモジュール１０のそれぞれの底部２８を重ねるようにして、配置する。そして、先ほどと同様に、２枚目の太陽光パネルＰをパレット５４の上方へ移動させ、新たなモジュール１０の支持部４０の支持面４２上にて太陽光パネルＰを降ろし、太陽光パネルＰの角部が、モジュール１０の位置決め部２２に当接するように載置する。このとき、新たなモジュール１０の下方突出部４４の外側面２７が、下位のモジュール１０の立壁２３に対して当接するので、たとえ、太陽光パネルＰが水平方向に揺さぶられても、新たなモジュール１０が放射方向外方へずれることはなく、太陽光パネルＰの四隅は、位置決め部２２によって確実に位置決めされることになる。これにより、２枚目の太陽光パネルＰの積載が完了したことになる。【００３８】  図４に示すように、この過程を繰り返すことで、モジュール１０と太陽光パネルＰとを交互に段積みしていき、必要な枚数に至った時点で、積層体の上面に天板５６を載置し、パレット５４の底面から天板５６の上面にわたって、上下方向にロープ５８を掛けて束縛した後、外周に保護スリーブ（図示せず）をかぶせることで、搬送ユニット６０が完成する。そして、この搬送ユニット６０をトラック等に積載し、太陽光パネルＰの設置現場へと輸送する。【００３９】  輸送中には、トラックの走行に伴う振動が、太陽光パネルＰに対して、特に垂直上下方向に加わるが、太陽光パネルＰの四隅は、太陽光パネルＰを支持しているモジュール１０の支持面４２と、この上位にあるモジュール１０の当たり部４５との間にしっかりと挟持されているので、太陽光パネルＰがばたついたり、がたついたりすることはない。加えて、積層体における下段に配置された太陽光パネルＰについては、その上方に積載された多枚数の太陽光パネルＰの重量は、モジュール１０の荷重伝達部２０によって支えられ、剛性の低い下方突出部４４から太陽光パネルＰの上面に加わる荷重は軽減される。この結果、太陽光パネルＰの破損は有効に防止される。【００４０】  トラックが設置現場に到着したならば、搬送ユニット６０の荷解きを行う。荷解きは、搬送ユニット６０を形成したときの手順とは逆の順序で行う。すなわち、まず、搬送ユニット６０の外面から保護スリーブ（図示せず）を取り外した後、ロープ５８を解く。そして、積層体の上面に載置されている天板５６を取り除く。これにより、最上位の太陽光パネルＰが露出することになる。最上位の太陽光パネルＰは、その四隅をモジュール１０の位置決め部２２によって水平方向に四方から位置決めされているが、上方向については、なんら拘束されていない。従って、これを垂直上方に持ち上げさえすれば、搬送ユニット６０から取り出すことができる。【００４１】  最上位の太陽光パネルＰを、必要な設置場所に設置し終えたならば、それまでこの太陽光パネルＰをその四隅にて支持していた、最上位の４個のモジュール１０を取り外す。モジュール１０は、１段下のモジュール１０の上に載置されているだけであるから、上向きに引き抜けば簡単に取り外すことができる。これにより、次段の太陽光パネルＰが露出することになる。このように、太陽光パネルＰの取り出しは、積み上げ時とは逆に、最後に積み重ねられた最上位のものから開始し、前述した１枚目の太陽光パネルＰの取り出しが最後に行われ、１枚目の太陽光パネルＰを取りだした時点で終了する。【００４２】  以上のように、本実施形態によれば、簡単な構成でありながら、外周にフレーム等の保護部材を有しない薄板パネル、特に太陽光パネルに適用され、これを段積みして支持するために、該薄板パネルの四隅又はその他の縁部に配置されるモジュールであって、モジュールと薄板パネルとを交互にただ積み上げていくだけで、簡単に、搬送のための積層体を構築できると共に、搬送中の振動や衝撃に起因して薄板パネルがばたついたり破損したりするのを効果的に防止でき、搬送作業に要する手数を大幅に削減できる、薄板パネルの段積みに用いるモジュールが提供される。【００４３】  次に、図５および図６を参照して、本発明の第２実施形態を詳細に説明する。以下の説明では、第１実施形態と同様な構成要素には、同様な参照番号を付することにより、その説明は省略し、本実施形態の特徴について、詳細に説明する。  本実施形態に係るモジュール１００の特徴は、位置決め部および当たり部にある。【００４４】図５および図６に示すように、位置決め部は、上のモジュール１００の荷重解放面を下のモジュール１００の荷重受け面に載置する形態で上のモジュール１００を下のモジュール１００に積み重ねる際、荷重受け面の内縁１０２に設けられた、上のモジュール１００の下のモジュール１００に対する相対移動を制限する上係止部１０４と、荷重解放面の上係止部１０４が設けられる側と同じ側の内縁１０３に、上係止部１０４と水平方向にオフセットする形態で設けられた、上のモジュール１００の下のモジュール１００に対する相対移動を制限する下係止部１０６とを有する。  より詳細には、上係止部１０４は、L字形荷重受け面の交差部の各側に１つずつ、下係止部１０６は、L字形荷重解放面の交差部の各側に１つずつ、上係止部１０４および下係止部１０６は、互いに協働して、立壁２２の内縁１０２、１０３をほぼカバーするように設けられる。上係止部１０４は、L字形荷重受け面の交差部の近位側に設けられるとともに、下係止部１０６は、L字形荷重解放面の交差部の遠位側に設けられる。【００４５】上係止部１０４の各々は、荷重受け面から上に向かって荷重受け面の内縁１０２から内方に離れる形態で傾斜する傾斜部１１０を有し、立壁２２の内面に固定されている。上係止部１０４の荷重受け面から上方への高さＨ１は、後に説明するように、モジュール１００を積み重ねる際、上下方向に隣接す���モジュール１００間において、下のモジュール１０の上係止部１０４の先端部が上のモジュール１００の立壁２２の内面の途中まで及ぶことから、上のモジュール１０の支持面４２の下面にぶつからないように適宜に設定すればよい。【００４６】  一方、下係止部１０６の各々は、荷重解放面から下に向かって荷重解放面の内縁１０３から内方に離れる形態で傾斜する傾斜部１１３を有し、立壁２２の内面に固定されている。下係止部１０６の荷重解放面から下方への高さＨ２は、後に説明するように、モジュール１００を積み重ねる際、上下方向に隣接するモジュール１００間において、上のモジュール１００の下係止部１０６の先端部が下のモジュール１００の立壁２２の内面の途中まで及ぶことから、下のモジュール１０の支持面４２の上面にぶつからないように適宜に設定すればよい。【００４７】  これにより、上下方向に隣接するモジュール１００間において、下のモジュール１００の上係止部１０４は、上のモジュール１００が下のモジュール１００に対して内方へ相対移動するのを制限し、上のモジュール１００の下係止部１０６は、上のモジュール１００が下のモジュール１００に対して外方へ相対移動するのを制限することから、上のモジュール１００が下のモジュール１００に対して内方および外方へ相対移動するのが抑制され、モジュール１００を安定して積み重ねることが可能である。特に、モジュールがＬ字形に形成され、交差部を挟んで各側に、上板状体１２にあっては上係止部１０４が、下板状体１４にあっては下係止部１０６が設置されることから、それに対応して、水平面上の直交する２方向の規制が可能であり、より具体的には、上のモジュール１００の下のモジュール１００に対する直交する２方向の内方への規制がなされ、一方上のモジュール１００の下のモジュール１００に対する直交する２方向の外方への規制がなされる。【００４８】  以上の構成によれば、上係止部１０４および下係止部１０６はそれぞれ、荷重受け面の内縁１０２および荷重解放面の内縁１０３に設けられていることから、荷重伝達面である荷重受け面上および荷重解放面上には上下係止部１０６を設置せずに、荷重伝達面積を十分に確保することで荷重受け面および荷重解放面の幅Wを極力小さくするとともに、モジュール１００自体の外側への張り出しを生じないようにすることで、モジュール１００のコンパクト性を維持することが可能である。一方、当たり部４５について、第１実施形態においては、支持部４０の全領域にわたるような下方突出部４４を形成していたのと異なり、第２実施形態においては、下係止部１０６を下方に延長して下方突出部４４を設け、その下端に当たり部４５を設けることとした。当たり部４５は、支持面４２と平行に設けられ、当たり部４５の下方への延び長さH2は、モジュール１００を積み上げた際、上位のモジュールから可能に延びる当たり部４５が下位のモジュールの支持面４２に載置された太陽光パネルＰの上面に対して当たり可能であればよく、また当たり部４５の設置位置およびその広さは、段積みした太陽光パネルＰの搬送中におけるばたつき、がたつきを防止する観点から適宜定めればよい。当たり部４５が下方に向けて先細となるようにしてもよい���変形例として、上係止部１０４をL字形荷重受け面の交差部の遠位側に設けられるとともに、下係止部１０６、すなわち下方突出部４４をL字形荷重解放面の交差部の近位側に設けてもよい。このような構成によれば、第１実施形態においては、当たり部４５を設けるのに下方突出部４４全体を下方に突出させていたところ、位置決め部である下係止部１０６を利用して局所的に当たり部４５を設けることにより、必要な樹脂材料の量を低減することが可能である。【００４９】以上、本発明の実施形態を詳細に説明したが、本発明の範囲から逸脱しない範囲内において、当業者であれば、種々の修正あるいは変更が可能である。  たとえば、上記実施形態においては、下方突出部４４と太陽光パネルＰとの間には、クリアランスがないものとして説明したが、それに限定されることなく、下方突出部４４が搬送中の太陽光パネルＰのばたつきを防止可能である限り、太陽光パネルＰとの間に数mm程度のクリアランスを有するものでも良い。また、本実施形態においては、複数の太陽光パネルPを上下方向に段積みするのに、同じモジュール１００を用いて、複数の太陽光パネルPの四隅それぞれにおいて柱状に積み重ねたが、それに限定されることなく、下層のモジュール１００ほど支持する太陽光パネルPの枚数が多いことから、その分強度が要求されるので、外形は同一だが肉厚の異なるモジュール１００を準備し、下層のモジュール１００ほど肉厚の厚いモジュール１００を採用してもよい。さらに、上記実施形態においては、矩形形状を有する太陽光パネルＰの四隅それぞれを薄板パネルの段積みに用いるモジュール１００によって直接支持する場合について説明した。従って、薄板パネルにおける被支持部分の水平視による輪郭は、直角な角部であり、これに対して相補的形状をなす位置決め部２２は、Ｌ字形となり、もってモジュール１０の全体的な外形も略Ｌ字形になる。しかしながら、薄板パネルが円形である場合には、被支持部分の水平視による輪郭は凸の円弧の形状になって、これに対して相補的形状をなす位置決め部２２は凹の円弧の形状になることは言うまでもない。
【図面の簡単な説明】
【００５０】
【図１】本発明の第１実施形態に係るモジュールの使用状態を示した模式図である。
【図２】図１の使用状態におけるモジュールと太陽光パネルとを示した斜視図である。
【図３−１】本発明の第１実施形態に係るモジュールを示した、（ａ）上面図、（ｂ）底面図である。
【図３−２】本発明の第１実施形態に係るモジュールを示した、（ｃ）外側側面図、（ｄ）内側側面図である。
【図３−３】本発明の第１実施形態に係るモジュールを示した、（ｅ）線ｅ−ｅに沿った断面図、（ｆ）線ｆ−ｆに沿った断面図である。
【図４】本発明の第１実施形態によって積み上げられた薄板パネルの搬送ユニットを示した斜視図である。
【図５】本発明の第２実施形態に係るモジュールを示した斜視図である。
【図６】本発明の第２実施形態に係るモジュールの図１と同様な図である。
【符号の説明】
【００５１】      Ｐ  太陽光パネル（薄板パネル）      １０，１００  モジュール      ２０  荷重伝達部      ２２  位置決め部      ２３  立壁２４  外側面      ２６  上部      ２７  外側面２８  底部      ３０  リブ      ３２  中空空間      ３６  開口部      ４０  支持部      ４２  支持面      ４４，１４４  下方突出部      ４５  当たり部４６  リブ      ４８  中空空間      ５２  開口部      ５４  パレット      ５６  天板      ５８  ロープ      ６０  搬送ユニット
【図１】
2013121461.tif 000003
【図２】
2013121461.tif 000004
【図３−１】
2013121461.tif 000005
【図３−２】
2013121461.tif 000006
【図３−３】
2013121461.tif 000007
【図４】
2013121461.tif 000008
【図５】
2013121461.tif 000009
【図６】
2013121461.tif 000010
【手続補正書】
【提出日】平成27年2月3日(2015.2.3)
【手続補正１】
【補正対象書類名】特許請求の範囲
【補正対象項目名】全文
【補正方法】変更
【補正の内容】
【特許請求の範囲】
【請求項１】
外周に保護部材をあてがわない矩形太陽光パネルを下方より支持する支持部と、該支持部に連結され、太陽光パネルの重さを上下方向に伝達する荷重伝達部と、上下に段積みされた太陽光パネルの水平方向の位置決めをする位置決め部とを有する、太陽光パネルの段積みに用いるモジュールであって、
前記支持部は、太陽光パネルを載置するＬ字形の支持面を有し、
前記荷重伝達部は、前記支持面の外方に形成され、モジュールが積み上げられるときに上位モジュールを受ける上部と、モジュールが積み上げられるときに下位モジュールの当該上部に荷重を伝達する底部とを有し、
下位モジュールにより支持された太陽光パネルの上面に対向して当り可能な下方突出部が設けられ、前記下方突出部の下端は、該底部より下方に位置し、
前記モジュールは、矩形太陽光パネルの四隅それぞれに配置され、各隅において、上位モジュールの前記下方突出部と下位モジュールとにより、矩形太陽光パネルを挟み込み支持する、ことを特徴とする太陽光パネルの段積みに用いるモジュール。
【請求項２】
前記位置決め部は、前記支持面の外縁から上方に延在する立壁面を有する、請求項１に記載の太陽光パネルの段積みに用いるモジュール。
【請求項３】
前記下方突出部のサイズは、前記支持面上に前記太陽光パネルを載置したとき、上位に載置されるモジュールの下方突出部の下端が、前記太陽光パネルの上面に当接する寸法になっている、請求項１ないし２のいずれか一項に記載の太陽光パネルの段積みに用いるモジュール。
【請求項４】
前記荷重伝達部の垂直方向の剛性は、前記下方突出部の垂直方向の剛性に比べて、剛くなっている、請求項１ないし３のいずれか一項に記載の太陽光パネルの段積みに用いるモジュール。
【請求項５】
前記荷重伝達部及び前記下方突出部は、中空に形成されている、請求項１ないし３のいずれか一項に記載の太陽光パネルの段積みに用いるモジュール。
【請求項６】
前記荷重伝達部及び前記下方突出部における前記中空に形成された中空空間内に、複数のリブが形成されている、請求項５に記載の太陽光パネルの段積みに用いるモジュール。
【請求項７】
前記荷重伝達部における前記中空空間内に形成された前記リブの肉厚は、前記下方突出部における前記中空空間内に形成された前記リブの肉厚に比べて、厚くなっている、請求項６に記載の太陽光パネルの段積みに用いるモジュール。
【請求項８】
前記荷重伝達部における前記中空空間内に形成された前記リブの設置数は、前記下方突出部における前記中空空間内に形成された前記リブの設置数に比べて、多くなっている、請求項６に記載の太陽光パネルの段積みに用いるモジュール。
【請求項９】
前記荷重伝達部における前記中空空間内に形成された前記リブの間隔は、前記下方突出部における前記中空空間内に形成された前記リブの間隔に比べて、密になっている、請求項６に記載の太陽光パネルの段積みに用いるモジュール。
【請求項１０】
前記中空に形成された荷重伝達部における外側面を構成する壁面の肉厚は、前記荷重伝達部における前記中空空間内に形成された前記リブの肉厚に比べて、厚くなっている、請求項６に記載の太陽光パネルの段積みに用いるモジュール。
【請求項１１】
前記下方突出部の底部は、開口している、請求項５ないし１０のいずれか一項に記載の太陽光パネルの段積みに用いるモジュール。
【請求項１２】
前記下方突出部における前記中空空間内に形成された前記リブの下端は、該下方突出部における下端面に一致するように延設されている、請求項６ないし１１のいずれか一項に記載の太陽光パネルの段積みに用いるモジュール。
【請求項１３】
前記荷重伝達部及び前記下方突出部は、中実に形成されている、請求項１ないし４のいずれか一項に記載の太陽光パネルの段積みに用いるモジュール。
【請求項１４】
前記荷重伝達部と前記下方突出部とが異なる材料から構成され、前記荷重伝達部を構成する材料の剛性に比べて、前記下方突出部を構成する材料の剛性が、低くなっている、請求項１３に記載の太陽光パネルの段積みに用いるモジュール。
【請求項１５】
前記荷重伝達部及び前記下方突出部のうち、一方は中空に形成され、他方は中実に形成されている、請求項１ないし４のいずれか一項に記載の太陽光パネルの段積みに用いるモジュール。
【請求項１６】
前記モジュールは、樹脂製であり、一体成形されている、請求項１ないし請求項１５のいずれか一項に記載の太陽光パネルの段積みに用いるモジュール。
【請求項１７】
外周に保護部材をあてがわない矩形太陽光パネルを下方より支持する支持部と、該支持部に連結され、太陽光パネルの重さを上下方向に伝達する荷重伝達部と、上下に段積みされた太陽光パネルの水平方向の位置決めをする位置決め部とを有する、太陽光パネルの段積みに用いるモジュールであって、
複数のモジュールが段積みされるとき、モジュール及び前記太陽光パネルの重量を支持する本体部であって、前記支持部の外方に形成され、モジュールが積み上げられるときに上位モジュールを受ける上部と、モジュールが積み上げられるときに下位モジュールの当該上部に荷重を伝達する底部と、を有してなる上記本体部を有し、
前記太陽光パネルはその下面が支持部の上面に形成されたＬ字形の支持面と当接されるとともに、その上面が積み上げられた上位モジュールの下端面と当接され、
前記モジュールは、矩形太陽光パネルの四隅それぞれに配置され、各隅において、上位モジュールの前記下端面と下位モジュールとにより、矩形太陽光パネルを挟み込み支持する、  ことを特徴とする太陽光パネルの段積みに用いるモジュール。
【国際調査報告】
2013121461.tif 000011
2013121461.tif 000012
2013121461.tif 000013
2013121461.tif 000014